(57)【要約】【課題】電線引出口から浸入した水等の液体が端子金具、バスバや電気部品に付着することを防止できる電気接続箱を提供する。【解決手段】電気接続箱は、電気部品と当該電気部品に接続された電線８とを収容する箱本体２を備えている。箱本体２は、電線８の端末が取り付けられるカセットブロック４と、電線８を内側に通して外部に引き出す電線引出口２５と、余長収容部２４とを備えている。余長収容部２４は、カセットブロック４と電線引出口２５との間でかつカセットブロック４と重ならない位置に設けられ、カセットブロック４からの電線８の余長部分８１を収容する。【選択図】図４
2011055579.tif 000002
【特許請求の範囲】
【請求項１】
電気部品と当該電気部品に接続された電線とを収容する箱本体を備えた電気接続箱において、
前記箱本体が、
前記電線の端末が取り付けられる電線取付部と、
前記電線を内側に通して外部に引き出す電線引出口と、
前記電線取付部と前記電線引出口との間でかつ前記電線取付部と重ならない位置に設けられ、前記電線取付部からの前記電線の余長部分を収容する余長収容部と、を備えたことを特徴とする電気接続箱。
【請求項２】
前記電線取付部と前記余長収容部とを区切る区切り壁と、
前記区切り壁を切り欠いて形成され、前記電線を内側に通す電線通し部と、を備えたことを特徴とする請求項１に記載の電気接続箱。
【請求項３】
前記電線を前記電線取付部から前記余長収容部に向かって直線状に配索するように保持する電線保持部を備えたことを特徴とする請求項１または請求項２に記載の電気接続箱。
【発明の詳細な説明】
【技術分野】
【０００１】
本発明は、移動体としての自動車等に搭載される電気接続箱に関する。
【背景技術】
【０００２】
移動体としての自動車には、一般に、ヘッドランプ及びテールランプ等のランプ類、スタータモータ及びエアコンディショナ用のモータ等のモータ類、等の多種多様な電子機器が搭載されている。
【０００３】
前述した多種多様な電子機器に電力を供給するために、前記自動車は、ジャンクションブロックを適宜適所に配置してきた。前記ジャンクションブロックは、多数のヒューズやリレー等の各種の電気回路ユニットを集約して構成されている。
【０００４】
なお、ジャンクションブロックは、ヒューズ、リレー、バスバ等を有することもあることから、ヒューズブロック、リレーボックス、または総称して電気接続箱（例えば、特許文献１参照）とも呼ばれる。本明細書では、前述したヒューズブロック、リレーボックス、ジャンクションブロックを、総称して以下電気接続箱と呼ぶ。
【０００５】
前述した特許文献１等に記載された従来の電気接続箱は、箱本体と、バスバと、アッパカバーと、ロアカバーとを備えている。箱本体は、例えば、外郭を形成する本体部と、本体部に収容されるカセットブロックとを備えている。
【０００６】
本体部は、絶縁性の合成樹脂で構成されている。本体部は、互いに連なる複数の外壁によって筒状に形成されているとともに、内側が複数の隔壁によって複数の空間に区画されている。
【０００７】
カセットブロックは、前記空間内に収容されて本体部に取り付けられる。カセットブロックは、上面側にヒューズ、リレー等の電気部品が取り付けられ、下面側にワイヤハーネスの電線の端末が取り付けられる。ワイヤハーネスの電線は、本体部に設けられた電線引出口を通して外部に引き出される。
【０００８】
バスバは、導電性の板金等にプレス加工を施して得られる。バスバは、例えば、カセットブロック内に収容されている。バスバは、電源としてのバッテリや発電機と接続する電源接続部と、ヒューズやリレー等の電気部品やワイヤハーネスの電線と接続する端子部とを備えている。バスバは、前記バッテリや発電機等から電力が供給され、当該電力を前記電気部品や電線に分配する。
【０００９】
アッパカバーは、箱本体に取り付けられて、当該箱本体の上面を覆う。ロアカバーは、箱本体に取り付けられて、当該箱本体の下面を覆う。箱本体のロアカバー側のスペースには、カセットブロックに接続された電線が収容される。
【００１０】
前述した電気接続箱は、電源と電気部品とワイヤハーネスの各電線とを予め定められたパターンにしたがって互いに電気的に接続して、前記電源と電気部品とワイヤハーネスの各電線に接続した各電子機器とを予め定められたパターンにしたがって互いに電気的に接続する。そして、電気接続箱は、電源から供給された電力を分配してワイヤハーネスを介して各電子機器に供給する。
【先行技術文献】
【特許文献】
【００１１】
【特許文献１】特開２００８−１０４２５５号公報
【発明の概要】
【発明が解決しようとする課題】
【００１２】
前述した電気接続箱においては、電線引出口と当該電線引出口から引き出される電線との間に隙間がある。このため、電気接続箱が自動車に搭載された際に水等の液体が前記隙間から内部に浸入して、電線に取り付けられた端子金具、バスバや電気部品に付着する虞があった。
【００１３】
本発明は、このような問題を解決することを目的としている。即ち、本発明は、電線引出口から浸入した水等の液体が端子金具、バスバや電気部品に付着することを防止できる電気接続箱を提供することを目的としている。
【課題を解決するための手段】
【００１４】
前記課題を解決し目的を達成するために、請求項１に記載された発明は、電気部品と当該電気部品に接続された電線とを収容する箱本体を備えた電気接続箱において、前記箱本体が、前記電線の端末が取り付けられる電線取付部と、前記電線を内側に通して外部に引き出す電線引出口と、前記電線取付部と前記電線引出口との間でかつ前記電線取付部と重ならない位置に設けられ、前記電線取付部からの前記電線の余長部分を収容する余長収容部と、を備えたことを特徴とした電気接続箱である。
【００１５】
請求項２に記載された発明は、請求項１に記載された電気接続箱において、前記電線取付部と前記余長収容部とを区切る区切り壁と、前記区切り壁を切り欠いて形成され、前記電線を内側に通す電線通し部と、を備えたことを特徴とした電気接続箱である。
【００１６】
請求項３に記載された発明は、請求項１または請求項２に記載された電気接続箱において、前記電線を前記電線取付部から前記余長収容部に向かって直線状に配索するように保持する電線保持部を備えたことを特徴とした電気接続箱である。
【発明の効果】
【００１７】
請求項１に記載された発明によれば、電線の余長部分は余長収容部内に集められて収容される。このため、電線引出口と電線の隙間から浸入した水等の液体は、余長収容部内に収容された電線に付着する。したがって、水等の液体が余長収容部より奥側に浸入することを防止でき、端子金具、バスバや電気部品に付着することを防止できる。
【００１８】
請求項２に記載された発明によれば、電線取付部と余長収容部とが区切り壁によって区切られているので、余長収容部内の電線の余長部分が電線取付部側に移動しにくくなる。したがって、電線の余長部分をより確実に余長収容部内に位置付けることができる。
【００１９】
請求項３に記載された発明によれば、電線保持部が電線取付部から余長収容部に向かう電線を保持するので、余長収容部内の電線が電線取付部側に移動しにくくなる。したがって、電線の余長部分をより確実に余長収容部内に位置付けることができる。また、電線保持部が電線を直線状に配索するように保持するので、電線の余長部分を余長収容部へ確実に配索できる。
【図面の簡単な説明】
【００２０】
【図１】本発明の第１の実施形態にかかる電気接続箱の一部を分解して示す、車載時における下方からの分解斜視図である。
【図２】図１に示された箱本体の別方向（車載時で上方）からの斜視図である。
【図３】図２に示された箱本体の別方向（車載時で下方）からの斜視図である。
【図４】図３に示された箱本体に電線の接続されたカセットブロックが取り付けられた状態を示す下面図である。
【図５】本発明の第２の実施形態にかかる電気接続箱の箱本体を示す、車載時における下方からの斜視図である。
【発明を実施するための形態】
【００２１】
以下、本発明の第１の実施形態にかかる電気接続箱１Ａを図１ないし図４を参照して説明する。本発明の第１の実施形態にかかる電気接続箱１Ａは、移動体としての自動車に搭載される。
【００２２】
電気接続箱１Ａは、図１に示すように、箱本体２と、アッパカバー（図示せず）と、ロアカバー３と、バスバ（図示せず）とを備えている。なお、図１の電気接続箱１Ａは、実際に自動車に搭載される電気接続箱１Ａの向きと上下反対向きになっている。
【００２３】
箱本体２は、絶縁性の合成樹脂で構成され、周知の射出成形によって成形される。箱本体２は、図１等に示すように、互いに連なる複数の外壁２１ａ、２１ｂ、２１ｃ、２１ｄによって筒状に形成されているとともに、内側が複数の隔壁２２によって複数の空間に区画されている。箱本体２は、本体部２３と、電線取付部としてのカセットブロック４と、余長収容部２４と、電線引出口２５と、電線保持部２６とを備えている。
【００２４】
本体部２３は、前述した外壁２１ａ、２１ｂ、２１ｃと、複数の隔壁２２のうち最も外壁２１ｄ寄りの一つの隔壁２２（以下、隔壁２２ａという）に囲まれた部分である。本体部２３は、図１ないし図３中の上方側及び下方側に開口した枠状に形成されている。本体部２３内は、前述した隔壁２２によって複数の空間に区画されている。本体部２３は、前記空間内にカセットブロック４を収容する。
【００２５】
カセットブロック４は、絶縁性の合成樹脂で構成され、周知の射出成形によって成形される。カセットブロック４は、複数設けられている。カセットブロック４は、各々、本体部２３内の前記空間内に収容可能な大きさの箱状に形成されている。これらカセットブロック４は、本体部２３の図１中で上方側の開口２３ａを通して本体部２３内に挿入され、本体部２３内に収容される（取り付けられる）。また、カセットブロック４の図１中で下方側の表面４ａには、ヒューズ、ヒュージブルリンクやリレー等の電気部品（図示せず）が取り付けられる。
【００２６】
また、カセットブロック４には、複数の端子収容室４１が設けられている。端子収容室４１は、カセットブロック４内に設けられた直線状の空間である。端子収容室４１の長手方向は、互いに平行に設けられ、カセットブロック４が本体部２３内に挿入される方向と平行である。端子収容室４１の図１中で上下に位置する両端は、開口している。端子収容室４１は、カセットブロック４の図１中で上方側の表面４ｂ側の開口から、ワイヤハーネスの電線８の端末に取り付けられて前記電気部品やバスバと接続する端子金具（図示せず）が挿入され、この端子金具を収容する。端子金具は、端子収容室４１内に突出した係止ランス（図示せず）に係止して、端子収容室４１内に係止する。こうして、電線８は、その端末がカセットブロック４の表面４ｂに取り付けられる。
【００２７】
また、カセットブロック４の表面４ｂには、棒状の電線保持部４２が突出している。電線保持部４２の当該電線保持部４２の突出する方向に直交（公差）する方向の断面形状は、略Ｌ字状に形成され、強度が高くなるように形成されている。また、電線保持部４２は、カセットブロック４が本体部２３内に収容された際に全長に亘って本体部２３内に位置付けられるような長さに形成されている。
【００２８】
さらに、電線保持部４２の先端には、表面４ｂと平行な方向（かつカセットブロック４から余長収容部２４に向かう方向に直交する方向）に突出し、かつ先端が表面４ｂに向かって湾曲したＪ字状の電線保持片４２ａが設けられている。電線保持部４２は、電線保持片４２aと表面４ｂとの間に電線８を位置付けて、カセットブロック４から余長収容部２４に向かって直線状に配索された電線８をその状態で保持する。
【００２９】
余長収容部２４は、前述した外壁２１ａ、２１ｃ、２１ｄと隔壁２２ａに囲まれた部分である。余長収容部２４は、図１中で上方側にのみ開口した箱状に形成されている。余長収容部２４は、本体部２３（即ち本体部２３に取り付けられるカセットブロック４）と電線引出口２５との間に設けられ、カセットブロック４に取り付けられた後述する電線８の余長部分８１を収容する。
【００３０】
また、余長収容部２４は、本体部２３（カセットブロック４）と重ならない位置に設けられている。本明細書における「重ならない位置に設けられている」とは、箱本体２を平面視した際に、余長収容部２４が本体部２３（カセットブロック４）と重ならない位置に設けられていることを意味している。本実施形態では、箱本体２の図１中上方からの平面視において、余長収容部２４は箱本体２の電線引出口２５寄りの一方側に配置され、本体部２３（カセットブロック４）は箱本体２の電線引出口２５から離れた他方側に配置されている。
【００３１】
電線引出口２５は、互いに相対する外壁２１ａ、２１ｃに設けられ、これら外壁２１ａ、２１ｃの余長収容部２４を構成する部分に設けられている。電線引出口２５は、前記外壁２１ａ、２１ｃの端部を半円状に切り欠いた電線通し孔２５ａと、電線通し孔２５ａの外縁から箱本体２の外方向に立設した樋状の電線支持片２５ｂとを備えている。電線引出口２５は、カセットブロック４に接続された電線８を内側に通して箱本体２外（外部）に引き出す。
【００３２】
電線保持部２６は、棒状に形成され、複数の隔壁２２の互いに交差する部分（隔壁２２の前記空間のコーナー部分を形成する部分）から本体部２３の図１中で上方側の開口２３ａに向かって突出している。電線保持部２６の当該電線保持部２６の突出する方向に直交（公差）する方向の断面形状は（略）Ｌ字状に形成され、強度が高くなるように形成されている。また、電線保持部２６は、全長に亘って本体部２３内に位置付けられるような長さに形成されている。電線保持部２６は、後述するように束ねられた複数の電線８を串刺し状に支持して、カセットブロック４から余長収容部２４に向かって直線状に配索された電線８をその状態で保持する。
【００３３】
アッパカバーは、絶縁性の合成樹脂で構成され、周知の射出成形によって成形される。アッパカバーは、箱本体２の図１中で下方側の開口、即ち本体部２３の開口を覆うように、箱本体２に取り付けられる。
【００３４】
ロアカバー３は、絶縁性の合成樹脂で構成され、周知の射出成形によって成形される。ロアカバー３は、図１に示すように、底壁３１と、底壁３１の外縁から立設した複数の周壁３２とを備え、浅い蓋状に形成されている。ロアカバー３は、箱本体２の図１中で上方側の開口、即ち本体部２３と余長収容部２４の双方の開口を覆うように、箱本体２に取り付けられる。ロアカバー３には、電線支持片３３と、排水孔３４ａ、３４ｂとが設けられている。
【００３５】
電線支持片３３は、周壁３２の電線引出口２５と相対する部分から突出して、一対設けられている。電線支持片３３は、樋状に形成され、電線支持片２５ｂとの間に電線８を位置付ける。
【００３６】
排水孔３４ａは、底壁３１の中央に設けられ、底壁３１を貫通している。排水孔３４ａは、底壁３１の開口２３ａを覆う部分に形成され、本体部２３内に浸入した水等の液体を外部に排出する。排水孔３４ｂは、一対の電線支持片３３の間に設けられ、底壁３１を貫通している。排水孔３４ｂは、底壁３１の余長収容部２４の開口を覆う部分に形成され、余長収容部２４内に浸入した水等の液体を外部に排出する。
【００３７】
電線８は、周知の被覆電線であり、複数設けられている。これら電線８は、結束バンド８２（または粘着テープ）等を用いて適宜束ねられている。複数の電線８のうち一部の電線８は、一端部が前記電気部品やバスバに接続されて箱本体２内に収容され、他端部が電線引出口２５を通して箱本体２外に引き出される。また、複数の電線８のうち残りの電線８は、両端部が前記電気部品やバスバに接続され、全長に亘って箱本体２内に収容される。
【００３８】
本実施形態においては、例えばワイヤハーネス布線板上等で、予め電線８の取り付けられたカセットブロック４が、前記ワイヤハーネス布線板上に固定された箱本体２に取り付けられる。このカセットブロック４の取付作業を行うために、電線８の最終的に箱本体２内に収容される部分の長さは、箱本体２に取り付けられたカセットブロック４と電線引出口２５との間の距離よりも長く設定されている。このように、電線８は、余長部分８１を有している。
【００３９】
バスバは、導電性の板金にプレス加工を施して得られる。バスバは、カセットブロック４に取り付けられている。バスバは、電源としてのバッテリや発電機と接続する電源接続部と、前述した電気部品や電線８と接続する端子部とを備えている。バスバは、前記バッテリや発電機等から電力が供給され、当該電力を前記電気部品や電線８に分岐する。
【００４０】
前述した電気接続箱１Ａは、電源と電気部品と各電線８とを予め定められたパターンにしたがって互いに電気的に接続して、前記電源と電気部品と各電線８に接続した各電子機器とを予め定められたパターンにしたがって互いに電気的に接続する。そして、電気接続箱１Ａは、電源から供給された電力をワイヤハーネスを介して各電子機器に供給する。
【００４１】
前述した電気接続箱１Ａを組み立てる際には、まず、予め電線８の取り付けられたカセットブロック４を箱本体２の本体部２３に取り付ける。そして、電線８を電線保持部２６、４２で保持して、カセットブロック４から隔壁２２ａを越えて余長収容部２４に向かって直線状に配索する。
【００４２】
そして、複数の電線８のうち前記一部の電線８の他端部を、電線引出口２５を通して箱本体２外に引き出す。また、複数の電線８のうち前記残りの電線８は、全長に亘って箱本体２内に位置付けておく。その後、図４に示すように、電線８の余長部分８１をまとめてＵ字状に折り返し、集めて余長収容部２４内に収容する。その結果、電線引出口２５と箱本体２外に引き出された電線８との隙間にも余長部分８１が位置付けられ、前記隙間から水等の液体が浸入しにくくなる。その後、箱本体２にロアカバー３とアッパカバーとを取り付けて箱本体２を組み立てて、電気接続箱１Ａが組み立てられる。
【００４３】
本実施形態によれば、電線８の余長部分８１は余長収容部２４内に集められて収容される。このため、電線引出口２５と電線８の隙間から浸入した水等の液体は、余長収容部２４内に収容された電線８に付着する。したがって、水等の液体が余長収容部２４より奥側に浸入することを防止でき、端子金具、バスバや電気部品に付着することを防止できる。
【００４４】
また、電線保持部２６、４２がカセットブロック４から余長収容部２４に向かう電線８を保持するので、余長収容部２４内の電線８がカセットブロック４側に移動しにくくなる。したがって、電線８の余長部分８１をより確実に余長収容部２４内に位置付けることができる。また、電線保持部２６、４２が電線８を直線状に配索するように保持するので、電線８の余長部分を余長収容部２４へ確実に配索できる。
【００４５】
前述した実施形態においては、電線保持部２６が箱本体２に設けられ、電線保持部４２がカセットブロック４に設けられていた。しかしながら本発明では、電線保持部２６、４２は必ずしも設けられていなくてもよいし、いずれか一方の電線保持部２６（または電線保持部４２）のみが設けられていてもよい。また、前述した実施形態においては、本体部２３とカセットブロック４とが別体で設けられていたが、本体部２３とカセットブロック４とを一体に成形してもよい。
【００４６】
次に、本発明の第２の実施形態にかかる電気接続箱１Ｂを、図５を参照して説明する。なお、前述した第１の実施形態と同一構成部分には、同一符号を付して説明を省略する。
【００４７】
本発明の第２の実施形態にかかる電気接続箱１Ｂは、第１の実施形態の電気接続箱１Ａにおける箱本体２の隔壁２２ａが、区切り壁２７に変更されたものである。電気接続箱１Ｂは、区切り壁２７と、区切り壁２７に設けられた電線通し部２８とを備えている。
【００４８】
区切り壁２７は、箱本体２の外壁２１ａ、２１ｃの内面同士を連結している。区切り壁２７は、第１の実施形態の隔壁２２ａよりも高く形成され、外壁２１ａ、２１ｂ、２１ｃ、２１ｄの開口２３ａ側の端部と略同じ高さに形成されている。区切り壁２７は、本体部２３（即ち本体部２３に取り付けられるカセットブロック４）と余長収容部２４とをより明確に区切っている。
【００４９】
電線通し部２８は、区切り壁２７の開口２３ａ側の端部中央から当該区切り壁２７を切り欠いて形成されている。電線通し部２８は、平面形状が矩形状に形成されている。電線通し部２８は、カセットブロック４からの電線８を内側に通して余長収容部２４に導く。また、電線通し部２８の区切り壁２７の前記端部側の両端には、電線通し部２８に近づくにしたがって徐々に電線通し部２８の奥側に近づく方向に傾斜するように区切り壁２７を切り欠いた電線導入部２８ａが設けられている。
【００５０】
本実施形態においては、本体部２３内のカセットブロック４に接続された電線８は、電線通し部２８を通って区切り壁２７を越え、カセットブロック４から余長収容部２４に向かって配索される。
【００５１】
本実施形態によれば、前述した第１の実施形態の効果に加え、カセットブロック４と余長収容部２４とが区切り壁２７によって区切られているので、余長収容部２４内の電線８の余長部分８１がカセットブロック４側に移動しにくくなる。したがって、電線８の余長部分８１をより確実に余長収容部２４内に位置付けることができる。
【００５２】
なお、前述した実施形態は本発明の代表的な形態を示したに過ぎず、本発明は、前述した実施形態に限定されるものではない。即ち、本発明の骨子を逸脱しない範囲で種々変形して実施することができる。
【符号の説明】
【００５３】
１Ａ、１Ｂ    電気接続箱
２    箱本体
４    カセットブロック（電線取付部）
８    電線
２４    余長収容部
２５    電線引出口
２６    電線保持部
２７    区切り壁
２８    電線通し部
４２    電線保持部
８１    余長部分
【図１】
2011055579.tif 000003
【図２】
2011055579.tif 000004
【図３】
2011055579.tif 000005
【図４】
2011055579.tif 000006
【図５】
2011055579.tif 000007